【事件の表示】
　平成　９年特許願第２６３５４６号「光電変換装置」拒絶査定不服審判事件〔平成１１年　４月１３日出願公開、特開平１１−１０３４１８〕について、次のとおり審決する。
【結　論】
　本件審判の請求は、成り立たない。
【理　由】
１．経緯
（１）手続
　本願は、平成９年９月２９日の出願である。
　本件は、本願についてされた拒絶査定（平成１５年１２月１８日付け）を不服とする平成１６年１月２１日の請求であり、同年２月２０日付けで手続補正書（明細書及び図面について請求の日から３０日以内にする補正）が提出された。
（２）査定
　原査定の理由は、概略、下記のとおりである。
　　　　　記（査定の理由）
　本願の請求項１および請求項２に係る発明は、下記刊行物に記載された各発明に基づいて当業者が容易に発明をすることができたものであるから、特許法第２９条第２項の規定により、特許を受けることができない。
　　　　　記
　刊行物１：特開平９−２５２４３４号公報
　刊行物２：特開平９−２４７５３８号公報
　刊行物３：特開平９−２４７５３７号公報
　刊行物４：特開平２−２２４４８０号公報
　
２．補正の却下の決定
　平成１６年２月２０日付けの手続補正について以下のとおり決定する。
〈結論〉
　平成１６年２月２０日付けの手続補正を却下する。
〈理由〉
（１）補正の内容
　本件補正により、特許請求の範囲の請求項１は下記のように補正される。下線は補正部分を示す。
　　　　　記（補正後発明）
　【請求項１】　各々が、光電変換素子と、前記光電変換素子に蓄積された各信号電荷を増幅する増幅手段とを有する水平方向及び垂直方向に配列された複数の画素と、
　垂直方向に配列された複数の画素毎に一つずつ設けられた複数の垂直出力線と、
　
前記増幅手段と前記垂直出力線の間に配置された複数の第１のスイッチと、
　前記画素からの信号を前記垂直出力線に読み出すために、前記画素から前記水平方向の複数の画素毎に
前記第１のスイッチを
　前記複数の垂直出力線からの信号が順次読み出される水平出力線と、
　前記複数の垂直出力線からの信号を前記水平出力線へ読み出すための
第２の
　前記垂直出力線からの信号を前記水平出力線に読み出すために、前記
第２の
　前記垂直出力線毎に設けられた、前記増幅手段の負荷となる
定電流源
　前記負荷
定電流源
第２の
、
　
前記増幅手段は、ＭＯＳ型のトランジスタであり、前記増幅手段と前記負荷定電流源とでソースフォロワ回路を構成する
　
（２）補正の適合性
（２−１）補正の目的
　上記補正は、補正前の請求項１に記載した「垂直走査手段」につき、「前記増幅手段と前記垂直出力線の間に配置された複数の第１のスイッチ」との限定を付加し、その順次走査の仕方を具体化したものである。なお、「第１」は、補正前の請求項１に記載されていた「複数のスイッチ」（第２の）との区別のために加入したものである。
　同じく補正前の請求項１に記載した「画素」を構成する「負荷手段」と「増幅手段」につき、それぞれ「定電流源」と「ＭＯＳ型のトランジスタ」に限定し、さらに「増幅手段と負荷定電流源とでソースフォロワ回路を構成する」と限定することにより、「画素」の構成を具体化したものである。
　特許法第１７条の２第４項第２号で規定する特許請求の範囲の減縮を目的とするものに該当する。
（２−２）独立特許要件
　そこで、補正後の請求項１に記載される発明（以下、補正後発明という）が独立特許要件（特許法第１７条の２第５項において準用する同法第１２６条第５項の規定）を満たすか否かについて以下に検討する。
　（ａ）引用刊行物の記載
　原査定の拒絶理由に引用された刊行物１（特開平９−２５２４３４号公報）には、「その単位セル内に増幅トランジスタを設けた増幅型固体撮像装置」（段落0001）に関して以下のことが記載されている。
　　（ア）増幅型ＭＯＳセンサを用いた固体撮像装置（図１０の回路構成）では、フォトダイオード１、増幅トランジスタ２、垂直選択トランジスタ３、及び信号電荷をリセットするリセットトランジスタ４からなる単位セルが行列２次元状（図１０では３×３個のセル）に配列されると共に、垂直シフトレジスタ５から水平方向（行方向）に配線されている水平アドレス線６（６−１、６−２、６−３）が垂直選択トランジスタ３のゲートに接続されて信号を読み出すライン（行）を決めており、また、増幅トランジスタ２のソースが列方向に配置された垂直信号線８（８−１、８−２、８−３）に接続され、その一端に負荷トランジスタ９（９−１、９−２、９−３）が設けられ、垂直信号線８の他端は、水平シフトレジ１０の選択パルスにより駆動される水平選択トランジスタ１９（１９−１、１９−２、１９−３）を介して水平信号線１１に接続されていること（段落0002〜段落0005）
　　（イ）上記固体撮像装置の動作は、まず水平アドレス線６−１をハイレベルにするアドレスパルスを印加することで、このラインの垂直選択トランジスタ３のみをＯＮにし、このラインの増幅トランジスタ２と負荷トランジスタ９とでソースホロア回路が構成され、そして増幅トランジスタ２のゲート電圧、即ちフォトダイオード１の電圧とほぼ同等の電圧が垂直信号線８に現れ、次いで水平シフトレジスタ１０から水平選択パルスを水平選択トランジスタ１９に順次印加することで、水平信号線１１から１ライン分の信号を順次取り出すもので、この動作を次のライン、その次のラインと順次続けることにより、２次元状の全ての信号を読み出すことができるものであること（段落0006〜段落0008）
　（ｂ）対比
　補正後発明と上記刊行物１の固体撮像装置とを対比してみると、次のことが認められる。
　（ｂ１）刊行物１の対象装置である「固体撮像装置」は、補正後発明の「光電変換装置」に相当する。
　（ｂ２）刊行物１の「フォトダイオード１」と「増幅トランジスタ２」とを有する「単位セル」は、補正後発明にいう「光電変換素子」と「増幅手段」とを有する「画素」に対応する。そして、その「単位セル」が行列２次元状に（つまり、水平方向及び垂直方向に）配列されていることから、補正後発明にいう「各々が、光電変換素子と、前記光電変換素子に蓄積された各信号電荷を増幅する増幅手段とを有する水平方向及び垂直方向に配列された複数の画素」に想到する構成の開示が認められる。
　（ｂ３）刊行物１の「複数の垂直信号線８」（図１０、３本の信号線８−１、８−２、８−３）は、補正後発明にいう「複数の垂直出力線」に相当する。
　（ｂ４）刊行物１の「垂直選択トランジスタ３」（図１０、３個のトランジスタ３−１、３−２、３−３）は、補正後発明にいう「複数の第１のスイッチ」に対応する。
　もっとも、補正後発明の「第１のスイッチ」は、「増幅手段と垂直出力線の間に配置された」ものであるところ、刊行物１の「垂直選択トランジスタ３」（第１のスイッチ）は、図１０の図示態様からすると、垂直信号線８（垂直出力線）に接続した増幅トランジスタ２（増幅手段）の後段に配置されており、その配置態様に相違が認められる。
　（ｂ４）刊行物１の「垂直シフトレジスタ５」、「水平信号線１１」、「複数の水平選択トランジスタ１９」（図１０、３個のトランジスタ１９−１、１９−２、１９−３）及び「水平シフトレジスタ１０」は、補正発明における「垂直走査手段」、「水平出力線」、「第２の複数のスイッチ」及び「水平走査手段」に相当する。
　（ｂ５）刊行物１の「負荷トランジスタ９」と補正後発明にいう「定電流源」とは、いずれも増幅手段の負荷となる負荷手段といえるものである。もっとも、刊行物１では、「負荷トランジスタ９」が「定電流源」であるとの記載はない。
　（ｂ６）刊行物１では、垂直信号線８の一端に負荷トランジスタ９（負荷手段）が設けられ、垂直信号線８の他端には水平選択トランジスタ１９（第２の複数のスイッチ）が接続されているから、負荷トランジスタ９（負荷手段）と水平選択トランジスタ１９（第２の複数のスイッチ）とが複数の単位セル（複数の画素）を挟んで反対側に設けられている。
　（ｂ７）刊行物１では、増幅トランジスタ２はＭＯＳ型のトランジスタであり、増幅トランジスタ２と負荷トランジスタ９とでソースフォロワ回路を構成している。
　補正後発明にいう「前記増幅幅手段がＭＯＳ型のトランジスタであり、前記増幅手段と前記負荷定電流源とでソースフォロワ回路を構成する」構成の開示が認められる。
　（ｃ）一致点・相違点
　以上によれば、補正後発明と刊行物１記載の固体撮像装置との一致点および相違点は次のとおりである。
　　　　　記（一致点）
　各々が、光電変換素子と、前記光電変換素子に蓄積された各信号電荷を増幅する増幅手段とを有する水平方向及び垂直方向に配列された複数の画素と、
　垂直方向に配列された複数の画素毎に一つずつ設けられた複数の垂直出力線と、
　複数の第１のスイッチと、
　前記画素からの信号を前記垂直出力線に読み出すために、前記画素から前記水平方向の複数の画素毎に前記第１のスイッチを順次走査する垂直走査手段と、
　前記複数の垂直出力線からの信号が順次読み出される水平出力線と、
　前記複数の垂直出力線からの信号を前記水平出力線へ読み出すための第２の複数のスイッチと、
　前記垂直出力線からの信号を前記水平出力線に読み出すために、前記第２の複数のスイッチを順次走査する水平走査手段と、
　前記垂直出力線毎に設けられた、前記増幅手段の負荷となる負荷手段と、を有し、
　前記負荷手段と前記第２の複数のスイッチとは、前記複数の画素を挟んで反対側に設けられ、
　前記増幅手段は、ＭＯＳ型のトランジスタであり、前記増幅手段と前記負荷手段とでソースフォロワ回路を構成する光電変換装置。
　　　　　記（相違点）
　相違点１
　複数の第１のスイッチが、補正後発明では「増幅手段と垂直出力線との間に配置された」ものであるのに対し、刊行物１では、垂直出力線に接続した増幅手段の後段に配置されている点。
　相違点２
　負荷手段が、補正後発明では「負荷定電流源」であるのに対し、刊行物１には「負荷定電流源」であるとの記載はない点。
　（ｄ）相違点等の判断
　上記相違点について検討する。
　相違点１
　垂直選択スイッチ（第１のスイッチ）と増幅手段（ソースフォロアのＭＯＳ型トランジスタ）との直列回路を有する画素において、垂直出力線と電源との間の配置順序を、増幅手段・垂直選択スイッチの順（前者）とするか垂直選択スイッチ・増幅手段の順（後者）とするかは、いずれも上記スイッチの配置技法として周知の技術である。
　前者のような配置は、原審での拒絶理由で引用された特開平９−２４７５３７号公報や特開平９−２４７５３８号公報が参照され、後者のような配置は、特開平９−４５８８７号公報（特にその図４とその説明）、特開平９−１９９７０３号公報（特にその図１とその説明）、特開平９−２３２５５５号公報（図１とその説明等）が参照される。
　いずれの配置も、上記増幅手段を選択的に動作させるという垂直選択スイッチの基本機能上変わりがなく、相互に置き換え可能なものであることは当業者には明らかな事項と認められる。
　上記相違点１に係る構成は、刊行物１の単位セルにおいて、上記周知の技術を参照することにより、当業者が容易になし得ることである。
　相違点２
　増幅型ＭＯＳセンサを用いる固体撮像装置において、その増幅手段（ＭＯＳ型トランジスタ）の負荷となる負荷手段（負荷トランジスタ）を定電流源とすることは、本願明細書でも従来技術として説明されているように周知の技術である（必要があれば、前掲特開平９−４５８８７号公報の段落【0004】等参照）。刊行物１において、負荷トランジスタ９のゲート電圧を独立に設定している点を捉えても、負荷トランジスタ９を定電流源となし得ることは、特に明示がなくとも当業者に明らかな事項というべきである。
　上記相違点２に係る構成は、刊行物１の負荷トランジスタ９において、上記周知の技術を参照することにより、当業者が容易になし得ることである。
　効果等
　以上のように、上記相違点１および相違点２に係る構成は、いずれも当業者が容易になし得たものであり、また、各相違点を総合してみても格別の作用をなすものでもない。補正後発明の効果も、上記刊行物１及び周知技術から当業者に予測できる範囲のものである。
　請求人の主張
　請求人は、補正後発明は、上記相違点１のような垂直選択スイッチ（第１のスイッチ）の配置の採用により、増幅手段（ＭＯＳ型トランジスタ）のゲートに対するリセット電圧を刊行物１のものに比して十分高くできるようにしたものであり、この点で格別のものである旨主張する。
　しかし、補正後の請求項１の記載から明らかなように、補正後発明は増幅手段のゲートのリセットを要件とするものではない。また、仮に補正後発明が上記リセットを前提とするものであるとしても、上記リセット電圧を高くできるとの技術的効果は、上記周知の垂直選択スイッチの配置技法自体による技術的効果であって、補正後発明独自の格別の技術的効果であるとは認め得ないから、請求人の主張は当を得ない。
  （ｅ）まとめ（独立特許要件）
　したがって、補正後発明は、刊行物１に記載された発明および周知技術に基づいて、当業者が容易に発明をすることができたものであるから、特許法第２９条第２項の規定により特許出願の際独立して特許を受けることができない。
（２−３）むすび（適合性）
　以上のとおりであるから、本件補正は、平成１５年改正前特許法第１７条の２第５項において準用する同法第１２６条第５項の規定に違反するので、特許法第１５９条第１項の規定において読み替えて準用する同法第５３条第１項の規定により却下すべきものである。
　
３．本願発明
　平成１６年２月２０日付けの手続補正は上記のとおり却下する。
　本願の請求項１および請求項２に係る発明は、本願明細書及び図面（平成１５年３月１７日付け手続補正書により補正された明細書及び図面）の記載からみて、その特許請求の範囲の請求項１および請求項２にそれぞれ記載した下記のとおりのものである。
　　　　　記（本願発明）
　【請求項１】各々が、光電変換素子と、前記光電変換素子に蓄積された各信号電荷を増幅する増幅手段とを有する水平方向及び垂直方向に配列された複数の画素と、
　垂直方向に配列された複数の画素毎に一つずつ設けられた複数の垂直出力線と、
　前記画素からの信号を前記垂直出力線に読み出すために、前記画素から前記水平方向の複数の画素毎に順次走査する垂直走査手段と、
　前記複数の垂直出力線からの信号が順次読み出される水平出力線と、
　前記複数の垂直出力線からの信号を前記水平出力線へ読み出すための複数のスイッチと、
　前記垂直出力線からの信号を前記水平出力線に読み出すために、前記複数のスイッチを順次走査する水平走査手段と、
　前記垂直出力線毎に設けられた、前記増幅手段の負荷となる負荷手段と、を有し、
　前記負荷手段と前記複数のスイッチとは、前記複数の画素を挟んで反対側に設けられたことを特徴とする光電変換装置。
　【請求項２】請求項１に記載の光電変換装置において、
　前記増幅手段は、ＭＯＳ型のトランジスタであり、前記増幅手段と前記負荷手段とでソースフォロワ回路を構成し、前記負荷手段は、定電流源であることを特徴とする光電変換装置。
　
４．査定の検討
（１）引用刊行物の記載
　原査定の拒絶理由に引用された刊行物１（特開平９−２５２４３４号公報）には、上記の記載が認められる（前記２．）。
　
（２）対比（対応関係、一致点・相違点）
　本願の請求項２に係る発明と刊行物１記載の発明とを対比する。
　補正後発明と刊行物１記載の発明との対応関係については前記のとおりであるところ、これを参照すると、請求項２に係る発明と刊行物１記載の発明との一致点および相違点は、下記のとおりである。
　　　　　記（一致点）
　各々が、光電変換素子と、前記光電変換素子に蓄積された各信号電荷を増幅する増幅手段とを有する水平方向及び垂直方向に配列された複数の画素と、
　垂直方向に配列された複数の画素毎に一つずつ設けられた複数の垂直出力線と、
　前記画素からの信号を前記垂直出力線に読み出すために、前記画素から前記水平方向の複数の画素毎に順次走査する垂直走査手段と、
　前記複数の垂直出力線からの信号が順次読み出される水平出力線と、
　前記複数の垂直出力線からの信号を前記水平出力線へ読み出すための複数のスイッチと、
　前記垂直出力線からの信号を前記水平出力線に読み出すために、前記複数のスイッチを順次走査する水平走査手段と、
　前記垂直出力線毎に設けられた、前記増幅手段の負荷となる負荷手段と、を有し、
　前記負荷手段と前記複数のスイッチとは、前記複数の画素を挟んで反対側に設けられ、
　前記増幅手段は、ＭＯＳ型のトランジスタであり、前記増幅手段と前記負荷手段とでソースフォロワ回路を構成する光電変換装置。
　　　　　記（相違点）
　相違点
　上記補正後発明に係る相違点２と同じ。
　
（３）相違点の判断等
　相違点
　上記補正後発明に係る相違点２についてした判断と同じである。
　効果等
　前記のとおり、上記相違点に係る構成は当業者が容易になし得ることである。本願の請求項２に係る発明の効果も、刊行物１の記載および上記周知技術からから予測することができる程度のものにすぎない。
　
（４）まとめ
　以上、本願の請求項２に係る発明は、刊行物１に記載された発明および周知技術に基づいて当業者が容易に発明をすることができたものである。
　
５．むすび
　以上、本願の請求項２に係る発明は、刊行物１に記載された発明および周知技術に基づいて当業者が容易に発明をすることができたものであるから、特許法第２９条第２項の規定により特許を受けることができない。
　したがって、残る請求項１に係る発明について特に検討するまでもなく、本願は拒絶をすべきものである。
　よって、結論のとおり審決する。